(57)【要約】【課題】発熱機器の入手のための費用を削減して効率的に熱検証や消費電力測定を実現することが可能な通信機器用試験モジュールを提供する。【解決手段】消費電力を任意に変更するための消費電力可変手段１０１と、発熱量を任意に変更するための発熱量可変手段１０２と、を備えている通信機器用試験モジュール１００である。【選択図】図１
2015232451.tif 000002
【特許請求の範囲】
【請求項１】
消費電力を任意に変更するための消費電力可変手段と、
発熱量を任意に変更するための発熱量可変手段と、
を備えていることを特徴とする通信機器用試験モジュール。
【請求項２】
前記消費電力可変手段と前記発熱量可変手段は、可変抵抗器からなる請求項１に記載の通信機器用試験モジュール。
【請求項３】
前記発熱量可変手段は、発熱機器における発熱位置と同一の位置に配置されている請求項１又は２に記載の通信機器用試験モジュール。
【請求項４】
前記発熱量可変手段は、筐体の内部で移動可能に配置されている請求項１から３の何れか一項に記載の通信機器用試験モジュール。
【発明の詳細な説明】
【技術分野】
【０００１】
本発明は、発熱機器が実装される多数のポートを有する通信機器の熱検証や消費電力測定を行うための通信機器用試験モジュールに関する。
【背景技術】
【０００２】
通信基地局等に設置されるサーバ等の通信機器は、駆動に際して熱を発する光トランシーバ等の発熱機器が実装される多数のポートを有しており、これらのポートに発熱機器を実装して駆動させたときに、発熱機器が発する熱により通信機器が受ける影響を検証するための熱検証や、発熱機器により消費される電力を測定するための消費電力測定が実機を使用して実施されている。
【先行技術文献】
【特許文献】
【０００３】
【特許文献１】特表２０１３−５２７７３１号公報
【発明の概要】
【発明が解決しようとする課題】
【０００４】
ところで、発熱機器の種類毎に発熱量や消費電力が異なるため、世界中に存在する全ての種類の発熱機器を使用して熱検証や消費電力測定を実施することが好ましいが、発熱機器の種類は無数に存在することから、全ての種類の発熱機器を入手して熱検証や消費電力測定を実施することは現実的では無い。
【０００５】
また、熱検証や消費電力測定に掛かる時間を短縮するために、複数台の通信機器を使用して熱検証や消費電力測定を並列して実施することが好ましいが、一種類の発熱機器のみを使用して熱検証や消費電力測定を実施する場合でも、ポート数×通信機器の台数分の発熱機器が必要となり、発熱機器の入手のために膨大な費用が掛かってしまう。
【０００６】
なお、熱検証や消費電力測定をシミュレーションにより実施することも考えられるが、シミュレーションの中で様々な要因を考慮して精度の高い結果を得ることは困難であり、最終的には実機を使用して熱検証や消費電力測定を実施することが必要となる。
【０００７】
そこで、本発明の目的は、発熱機器の入手のための費用を削減して効率的に熱検証や消費電力測定を実現することが可能な通信機器用試験モジュールを提供することにある。
【課題を解決するための手段】
【０００８】
この目的を達成するために創案された本発明は、消費電力を任意に変更するための消費電力可変手段と、発熱量を任意に変更するための発熱量可変手段と、を備えている通信機器用試験モジュールである。
【０００９】
前記消費電力可変手段と前記発熱量可変手段は、可変抵抗器からなると良い。
【００１０】
前記発熱量可変手段は、発熱機器における発熱位置と同一の位置に配置されていると良い。
【００１１】
前記発熱量可変手段は、筐体の内部で移動可能に配置されていると良い。
【発明の効果】
【００１２】
本発明によれば、発熱機器の入手のための費用を削減して効率的に熱検証や消費電力測定を実現することが可能な通信機器用試験モジュールを提供することができる。
【図面の簡単な説明】
【００１３】
【図１】本発明に係る通信機器用試験モジュールを示す概略図である。
【発明を実施するための形態】
【００１４】
以下、本発明の好適な実施の形態を添付図面にしたがって説明する。
【００１５】
図１に示すように、本発明の好適な実施の形態に係る通信機器用試験モジュール１００は、消費電力を任意に変更するための消費電力可変手段１０１と、発熱量を任意に変更するための発熱量可変手段１０２と、を備えている。
【００１６】
通信機器用試験モジュール１００は、例えば、通信機器から信号線１０３を介して伝送された電気信号を光電変換集積回路で光信号に変換して光ファイバ１０４を介して別の通信機器用試験モジュール１００に伝送し、また別の通信機器用試験モジュール１００から光ファイバ１０４を介して伝送された光信号を光電変換集積回路で電気信号に変換して信号線１０３を介して通信機器に伝送する光トランシーバからなる。
【００１７】
ここで、電気信号と光信号とを相互変換するための光電変換集積回路は、光トランシーバとして最低限の機能を実現できる程度のものであれば良く、出来る限り消費電力や発熱量が少ないものを採用する必要がある。
【００１８】
これは、光電変換集積回路の消費電力や発熱量が通信機器用試験モジュール１００で模擬することができる消費電力や発熱量の最小値となるため、光電変換集積回路の消費電力や発熱量が多いと、これよりも消費電力や発熱量が少ない発熱機器を模擬することができなくなり、模擬することができる発熱機器の種類が少なくなってしまうからである。
【００１９】
消費電力可変手段１０１は、例えば、ダイヤルを回転させることで任意に抵抗値を変更することができる可変抵抗器やスイッチ回路により任意に抵抗値を変更することができる電界効果トランジスタからなる。これらの抵抗値を変更することにより、通信機器と接続されるコネクタ１０５から電源線１０６を介して供給される電力に関して電流が調整されるため、通信機器用試験モジュール１００における消費電力を任意に変更することができる。
【００２０】
発熱量可変手段１０２は、例えば、ダイヤルを回転させることで任意に抵抗値を変更することができる可変抵抗器やスイッチ回路により任意に抵抗値を変更することができる電界効果トランジスタからなる。これらの抵抗値を変更することにより、通信機器と接続されるコネクタ１０５から電源線１０６を介して供給される電力に関して電流が調整されるため、通信機器用試験モジュール１００における発熱量を任意に変更することができる。
【００２１】
なお、通常は消費電力と発熱量とは比例関係にあるため、抵抗値を変更することができる可変抵抗器等からなる消費電力可変手段１０１と抵抗値が一定である抵抗器からなる発熱量可変手段１０２とを直列接続し、消費電力可変手段１０１における抵抗値を変更して消費電力を任意に変更すると共に発熱量可変手段１０２に流れ込む電流を調整することにより、発熱量可変手段１０２における発熱量を調整するようにしても構わない。
【００２２】
また、発熱量可変手段１０２は、発熱機器における発熱位置と同一の位置に配置されていることが好ましい。これにより、実機である発熱機器と同様の発熱状態を模擬することができ、より正確な熱検証を実施することが可能となる。
【００２３】
更に、発熱量可変手段１０２は、筐体１０７の内部で移動可能に配置されていることが好ましい。これにより、通信機器用試験モジュール１００における発熱位置を任意に変更してその位置を実機である発熱機器における発熱位置と同一の位置に配置することができるため、１つの通信機器用試験モジュール１００でより全ての種類の発熱機器の発熱状態を正確に模擬することが可能となる。
【００２４】
なお、実機である発熱機器では、筐体１０７の内部は空間的に余裕が無く、発熱量可変手段１０２を移動可能に配置できる程の空間が無いが、通信機器用試験モジュール１００では、熱検証や消費電力測定に無関係である各種の部品が不要であるため、これらの部品を削減した分だけ空間的に余裕ができるため、発熱量可変手段１０２を移動可能に配置することが可能となる。
【００２５】
これまで説明してきたように、本実施の形態に係る通信機器用試験モジュール１００によれば、消費電力や発熱量を任意に変更して全ての種類の発熱機器を模擬することができるため、発熱機器の入手のための費用を削減して効率的に熱検証や消費電力測定を実現することが可能となる。
【００２６】
また、通信機器用試験モジュール１００は、通常の光トランシーバ等の発熱機器と比較して安価な集積回路を採用し、これに可変抵抗器等からなる消費電力可変手段１０１や発熱量可変手段１０２を付加した構成であるため、価格的に実機である発熱機器よりも安価であるか又は殆ど変わらない。
【００２７】
なお、一方の通信機器用試験モジュール１００を一方の通信機器のポートに搭載すると共に他方の通信機器用試験モジュール１００を他方の通信機器のポートに搭載し、これらの間を光ファイバ１０４で接続することにより、実際に通信機器を駆動させて通信状態で発生する通信機器側の発熱状態をも模擬することができるため、より実機の使用状態に近い状況で熱検証や消費電力測定を実施することが可能となる。
【００２８】
本発明は、本明細書に記載した実施の形態に限定されるものでは無く、本発明の主旨を逸脱しない範囲で種々の変更を伴うことができる。例えば、本実施の形態では、通信機器用試験モジュール１００が光トランシーバを模擬する旨を記載したが、光トランシーバ以外にもポートに実装される光電製品であれば、その模擬をすることが可能である。
【符号の説明】
【００２９】
１００  通信機器用試験モジュール
１０１  消費電力可変手段
１０２  発熱量可変手段
１０３  信号線
１０４  光ファイバ
１０５  コネクタ
１０６  電源線
１０７  筐体
【図１】
2015232451.tif 000003